(57)【特許請求の範囲】
【請求項１】
ケース筐体内に、磁気記録テープを巻回した、フランジを有しない、金属製のリールハブからなるテープリールを回動自在に収納する磁気テープカセットであって、
前記磁気記録テープは、テープ端に、金属製のリーダーテープを有し、前記金属製のリーダーテープを構成する金属が前記金属製のリールハブを構成する金属に分子間力で凝着することによって、前記テープリールに巻回されていることを特徴とする磁気テープカセット。
【請求項２】
前記金属製のリールハブは、マグネシウム合金で構成され、
前記金属製のリーダーテープは、前記金属製のリールハブを構成するマグネシウム合金と、ほぼ同じ組成を有するマグネシウム合金で構成される請求項１に記載の磁気テープカセット。
【発明の詳細な説明】
【０００１】
【発明の属する技術分野】
本発明は磁気テープカセットに関する。
【０００２】
【従来の技術】
従来、民生用または業務用のビデオテープレコーダまたはビデオカメラに用いられる録画・再生用テープカセット、あるいはコンピュータ等の外部記憶装置におけるデータバックアップ用の大容量記録媒体として、上ハーフと下ハーフとからなるカセット本体に、磁気テープを巻回した一対の巻取りハブ、または磁気テープを巻回した単一のテープリールを回転自在に収容した方式の磁気テープカセットまたはカートリッジ（以下、「磁気テープカセット」と総称する）が知られている。例えば、ＪＩＳ  Ｘ６１２７、Ｘ６１２９、Ｘ６１３０、Ｘ６１７１、Ｘ６１７２またはＥＣＭＡ−２８８等にその構造、寸法諸元が規定されている磁気テープカセット等が知られている。
【０００３】
これらの各種の磁気テープカセットは、構成する各部品に求められる性能および形状に応じて、各種の金属部材と合成樹脂製部材とを組合せた複合構造体として構成されている。例えば、合成樹脂として、（１）摺動性（耐磨耗性）を要する部材には、ＰＯＭ（ポリアセタール）を樹脂成形したもの、（２）コストパフォーマンスを考慮してＰＳ（ポリスチレン）にＳｉ（シリコン）を添加して樹脂成形したもの、（３）強度を考慮したＡＢＳ（アクリロニトリル・ブタジエン・スチレン）樹脂、ＡＢＳにＰＣ（ポリカーボネート）を加えたもの、ＰＣ、またはＰＣにグラスファイバーを添加して強化した樹脂によるもの、などが用いられている。また、ばね部材等には、各部品に求められる特性に応じて金属からなる素材が用いられている。具体的には、ケース筐体を構成する上下のハーフや、アウターリッド、アッパーリッドおよびインナーリッド、磁気記録テープを巻回するテープリール等は、それぞれ合成樹脂の射出成形により形成されている。さらに、その他の部材も、合成樹脂、金属、または金属と合成樹脂の複合材で形成されている。
【０００４】
こうした従来の磁気テープカセットにおいて、テープリールを構成するリールハブ、該リールハブの上下に設けられるフランジは、それぞれ樹脂の射出成形品で形成される。一方、磁気テープカセットを装填する記録再生装置は、記録再生動作中に大量の熱を発生し、記録再生装置内の温度は高温、例えば、７０℃にも達し、合成樹脂からなる部位の変形、あるいは樹脂疲労の原因となる。そのため、テープリールは、耐熱性に優れることが求められ、また、熱を蓄積せず、放熱できるように熱伝導性に優れることが求められる。また、テープリールにおいて、樹脂製のリールハブは、磁気記録テープの巻回時の圧力（巻き圧）によって変形し、さらに、温度変化による収縮の影響を受けやすく、特にＰＯＭ製のリールハブにおいて顕著である。さらに、巻回する磁気記録テープの巻取り、引出し動作を円滑に行うためには、上記高温に曝されても、寸法安定性に優れることが求められる。
【０００５】
また、近年、環境問題への関心が高まるとともに、プラスチック、あるいは複合材料等の各種の廃棄物の増加による環境への悪影響が懸念されている。そこで、廃棄物が少ない、または廃棄されても環境保全上の支障の原因とならないこと、いわゆる環境への負荷が少ないことが、重要となりつつある。そのため、工業製品を社会全体の循環システムに有利な構成とすることが広範な産業分野で進められている。
【０００６】
しかし、前述のとおり、従来の磁気テープカセットは、その構成部材が、合成樹脂、金属あるいは金属と合成樹脂の複合材、さらに他の材料から形成された多様な素材で構成されているため、分解が困難であり、また、使用済みの磁気テープカセットを分解できても、各素材に分離して分別し、これらをリサイクルすることが困難であり、多量の合成樹脂廃棄物を生じ、廃棄された合成樹脂は、環境負荷の原因となる。また、製造工程中で生じる不良品の分解再使用が困難であり、高価な素材からなる部品を再使用することが、製造コストの削減に有効であるが、その再利用も困難であった。
【０００７】
【発明が解決しようとする課題】
そこで、本発明の目的は、テープリールが、耐熱性に優れ、高い熱伝導性を有するため、記録再生装置内で発生する大量の熱による高温時にも放熱性に優れ、磁気記録テープの伸び、変形等を招くことがなく、また、磁気記録テープの巻き圧を受けても変形し難い強度を有し、さらに、電磁遮蔽性に優れるため、外部の電界および磁界の作用を受けることがなく、磁気記録テープの走行安定性に寄与する。さらに、磁気テープカセット全体の合成樹脂の使用量が低減され、さらに、分解時には合成樹脂と金属との分離を容易にでき、廃棄する場合でも、廃棄部品数が低減し、分解して、環境に負荷を与えないとともに、製造工程においても、分解が容易であるため、分解品の再利用が可能である磁気テープカセットを提供することにある。
【０００８】
【課題を解決するための手段】
本発明は、前記課題を解決するために、ケース筐体内に、磁気記録テープを巻回した、フランジを有しない、金属製のリールハブからなるテープリールを回動自在に収納する磁気テープカセットであって、前記磁気記録テープは、テープ端に、金属製のリーダーテープを有し、前記金属製のリーダーテープを構成する金属が前記金属製のリールハブを構成する金属に分子間力で凝着することによって、前記テープリールに巻回されていることを特徴とする磁気テープカセットを提供する。
ここで、前記金属製のリールハブは、マグネシウム合金で構成され、前記金属製のリーダーテープは、前記金属製のリールハブを構成するマグネシウム合金と、ほぼ同じ組成を有するマグネシウム合金で構成されることが好ましい。
【０００９】
【発明の実施の形態】
以下、本発明の磁気テープカセットについて詳細に説明する。
本発明は、磁気記録テープと、該磁気記録テープを回動自在に収納するケース筐体とを有する磁気テープカセットに適用され、単一または一対のテープリールに磁気記録テープを巻回し、該テープリールは、磁気記録テープが、ケース筐体内から引き出し可能あるいは走行可能に所定の箇所に収容される、１リールタイプまたは２リールタイプのいずれの磁気テープカセットにも適用される。
【００１０】
また、本発明の磁気テープカセットにおいて、ケース筐体とは、上ハーフおよび下ハーフを主要構成部材とし、その上ハーフまたは下ハーフに装着される他の部材を含め、磁気記録テープを巻回したテープリールおよび該テープリールから引き出された一部の磁気記録テープを保持または収容するために上ハーフまたは下ハーフに装着される部材を含めた部材をいう。例えば、後記の２リールタイプの磁気テープカセットにおいては、他の部材として、上ハーフに装着されるアウターリッド、アッパーリッドおよびインナーリッドなどを含む複数の部材から構成され、上ハーフと下ハーフとを組合わせて形成されるものをいう。
【００１１】
本発明の磁気テープカセットにおいて、ケース筐体内に収容される磁気記録テープを巻回するテープリールは、フランジを有しないリールハブからなり、該リールハブが、金属で形成されている。
【００１２】
リールハブを形成する金属は、マグネシウムを主材とし、アルミニウム１．５質量％以上、亜鉛０．２質量％以上、およびマンガン０．２質量％以下を含むマグネシウム合金が挙げられ、マグネシウムを８３質量％〜９７質量％含有し、さらにアルミニウムを３．５質量％〜１０質量％、亜鉛を１．５質量％含有し、残部をマンガンとしたもの、さらに、リチウムを１質量％〜４０質量％含有し、残部をマグネシウム及びマグネシウムと不可避の不純物からなるマグネシウム−リチウム系合金が好ましい。マグネシウム−リチウム系合金としては、さらに具体的には、リチウムを１質量％〜４０質量％含有し、さらに１０質量％以下のアルミニウム、４質量％以下の銀、４質量％以下の亜鉛、４質量％以下のイットリウム、４質量％以下のランタノイド系元素（例えば、Ｌａ、Ｃｅ、ミッシュメタル（Ｍｍ）など）を含有し、残部をマグネシウム及びマグネシウムと不可避の不純物からなるものが用いられる。マグネシウム−リチウム系合金に含有されるアルミニウム、銀、亜鉛、イットリウム、ランタノイド系元素は、マグネシウムの強度向上に寄与することが知られている。これらの合金元素を含有するマグネシウム−リチウム系合金は、強度が向上される。
【００１３】
また、本発明の磁気テープカセットにおいて、リールハブに巻回された磁気記録テープの上面または下面と対向する、上ハーフの下内面および下ハーフの上内面に、非不織布からなるフリクションシートが配設されると、好ましい。このフリクションシートによって、リールハブに巻回された磁気記録テープの上面または下面が、上ハーフの下内面または下ハーフの上内面と接触し、リールの面振れやテープ自重による撓みを防止し、磁気記録テープの回転が阻害されるのを防止し磁気記録テープの巻取りおよび引出しを円滑にするために有効であるとともに、磁気記録テープのエッジを守り、異なる記録再生装置に対しても互換性が保たれる。また、テープリールがフランジを有しないリールハブのみで構成できるため、フランジを形成していた樹脂が不要となり、樹脂の使用量の低減に有効である。
【００１４】
前記フリクションシートが、不織布ではなく、ポリエチレン、ＰＯＭ、ＰＴＦＥ等からなるシートが、摺動性を有しているため、好ましい。
【００１５】
また、本発明の磁気テープカセットにおいて、前記ケース筐体を樹脂で形成した場合には、該ケース筐体が帯電防止剤を含む樹脂からなると、磁気テープカセットの帯電を防止できるため、好ましい。
用いられる帯電防止剤としては、例えば、アンモニウム塩等が挙げられる。
【００１６】
さらに、本発明の磁気テープカセットにおいて、テープリールに巻回される磁気記録テープの巻取り端、すなわち、巻回時にリールハブの外周面に接触するテープ端に、前記テープリールを構成するマグネシウム材と分子間力によって接着する金属からなるリーダーテープを有すると、リーダーテープとリールハブとの金属同士の凝着によって、切欠き部およびクランプ部材を有しないテープリールに磁気記録テープを巻回させることができ、部品点数の低減および易分解性の向上に有効であり、好ましい。該リーダーテープを形成する金属としては、例えば、テープリールを構成するマグネシウム材とほぼ同じ組成を有する金属等が挙げられる。
【００１７】
以下、本発明の磁気テープカセットの実施例として、図１〜２に示す構造を有する、２リールタイプの磁気テープカセットを例に採り、本発明について詳細に説明するが、本発明は、この例に限定されず、１リールタイプの磁気テープカセットについても適用できることはもちろんである。
【００１８】
図１は、２リールタイプの磁気テープカセットの斜視図を示し、図２は、その主要構成部品を示す分解斜視図である。
この図１に示す磁気テープカセット１は、図２に示すとおり、一対のテープリール２ａおよび２ｂに巻回した磁気テープ３を、ケース筐体４内に走行可能に保持して記録再生を行うものである。
【００１９】
ケース筐体４は、上ハーフ５と下ハーフ６とを有する。上ハーフ５と下ハーフ６は組み合わされ、ビス７ａ，７ｂ，７ｃ，７ｄ，７ｅ等により締結されてケース筐体４を構成する。また、上ハーフ５には、防塵性を得るために、下ハーフ６に立設される一対のテープガイド８ａと８ｂの間に張架される磁気テープ３の前面および裏面を覆う、アウターリッド９、アッパーリッド１０、および該アッパーリッドの前縁端に形成されたインナーリッド１１がそれぞれ、磁気テープカセットの非使用時に、テープガイド８ａと８ｂの間に張架される磁気記録テープを収納するように、ケース筐体４の前側面を開閉自在に取り付けられる。
【００２０】
この磁気テープカセットにおいて、テープリールは、図３に示すとおり、上フランジおよび下フランジを有しない、一対の円筒状のリールハブ１２ａおよび１２ｂのみから構成される。該リールハブ１２ａおよび１２ｂは、割り筒状のハブ本体１３ａと１３ｂと、該ハブ本体１３ａと１３ｂの外周面に形成された切欠き部１４ａおよび１４ｂと、該切欠き部１４ａおよび１４ｂに嵌合される、断面円弧状のクランプ部材１５ａおよび１５ｂとを有する。
【００２１】
この磁気テープカセットにおいて、リールハブ１２ａまたは１２ｂに磁気記録テープを巻回する際には、磁気記録テープのテープ端を切欠き部１４ａまたは１４ｂに挿入した後、クランプ部材１５ａまたは１５ｂを切欠き部１４ａまたは１４ｂに嵌合させることによって、磁気記録テープのテープ端をリールハブ１２ａまたは１２ｂに係止させ、該テープ端に続く磁気記録テープをリールハブ１２ａまたは１２ｂの外周面に巻回させることができる。
【００２２】
この磁気テープカセットにおいて、リールハブ１２ａおよび１２ｂ、すなわち、ハブ本体１３ａおよび１３ｂ、ならびにクランプ部材１５ａおよび１５ｂは、前記マグネシウム材からなる。そのため、リールハブは、高い熱伝導性を有し、記録再生装置内で発生する大量の熱による高温時にも放熱性に優れ、磁気記録テープの伸び、変形等を招くことがない。さらに、電磁遮蔽性に優れるため、外部の電界および磁界の作用を受けることがない。
【００２３】
また、この磁気テープカセットにおいて、リールハブに巻回される磁気記録テープの上面または下面と対向する、リールハブ１２ａおよび１２ｂは、上ハーフの下内面および下ハーフの上内面に、非不織布からなるフリクションシート１６ａおよび１６ｂを介して摺接される。フリクションシート１６ａおよび１６ｂは、不織布ではなく、ポリエチレン、ＰＯＭ、ＰＴＦＥ等からなるシートが好ましい。
【００２４】
また、この磁気テープカセットにおいて、リールハブに巻回される磁気記録テープ３の巻取り端、すなわち、巻回時にリールハブ１２ａおよび１２ｂの外周面に接触するテープ端に、前記リールハブを構成する金属と分子間力によって接着する金属、例えば、テープリールを構成するマグネシウム材とほぼ同じ組成を有する金属からなるリーダーテープを有すると、リーダーテープとリールハブとの金属同士の凝着によって、切欠き部およびクランプ部材を有しないテープリールに磁気記録テープを巻回させることができ、部品点数の低減および易分解性の向上に有効である。
【００２５】
【発明の効果】
以上のとおり、本発明の磁気テープカセットは、テープリールが、耐熱性に優れ、高い熱伝導性を有するため、記録再生装置内で発生する大量の熱による高温時にも放熱性に優れ、磁気記録テープの伸び、変形等を招くことがなく、また、磁気記録テープの巻き圧を受けても変形し難い強度を有し、さらに、電磁遮蔽性に優れるため、外部の電界および磁界の作用を受けることがなく、さらに、電磁遮蔽性に優れるため、外部の電界および磁界の作用を受けることがなく、磁気記録テープの走行安定性に寄与する。さらに、磁気テープカセット全体の合成樹脂の使用量が低減され、さらに、分解時には各構成部品に分離して樹脂と金属との分離を容易にでき、廃棄する場合でも、廃棄部品数が低減し、分解して、環境に負荷を与えないとともに、製造工程においても、分解が容易であるため、分解品の再利用が可能であり、かつ、組立て容易である。また、テープリールがフランジを有しないリールハブのみで構成できるため、フランジを形成していた樹脂が不要となり、樹脂の使用量の低減に有効である。
【図面の簡単な説明】
【図１】  本発明の実施例に係る磁気テープカセットの一例を示す斜視図である。
【図２】  本発明の実施例に係る磁気テープカセットの一例の主要構成部品を示す分解斜視図である。
【図３】  本発明の実施例に係る磁気テープカセットのリールハブを説明する斜視図である。
１  磁気テープカセット
２ａ，２ｂ  テープリール
３  磁気テープ
４  ケース筐体
５  上ハーフ
６  下ハーフ
７ａ，７ｂ，７ｃ，７ｄ，７ｅ  ビス
８ａ，８ｂ  テープガイド
９  アウターリッド
１０  アッパーリッド
１１  インナーリッド
１２ａ，１２ｂ  リールハブ
１３ａ，１３ｂ  ハブ本体
１４ａ，１４ｂ  切欠き部
１５ａ，１５ｂ  クランプ部材
１６ａ，１６ｂ  フリクションシート
【図１】
0004245281.tif 000002
【図２】
0004245281.tif 000003
【図３】
0004245281.tif 000004